(57)【要約】【課題】  著作権管理が必要で且つ転送が可能なデジタルコンテンツに対し、柔軟な著作権管理を行うことが可能な著作権管理装置、著作権管理方法、及び著作権管理プログラムを提供する。【解決手段】  デジタルコンテンツの著作権管理を行うＧＷサーバ８は、前記デジタルコンテンツの配信を行うコンテンツ配信装置１１を特定するための配信元特定情報と、コンテンツ配信装置１１から配信された前記デジタルコンテンツの配信先を特定するための配信先特定情報とを含む管理情報が付加された前記デジタルコンテンツ（以下、管理コンテンツという）を持つ携帯電話機１から転送される前記管理コンテンツを受信する通信部８１と、前記管理コンテンツの転送先を特定するための転送先特定情報を前記管理コンテンツの前記管理情報の１つとして、前記管理コンテンツに付加する制御部８２と、制御部８２により前記転送先特定情報が付加された管理コンテンツを前記転送先に送信する通信部８１とを備える。【選択図】  図１
2005182564.tif 000002
【特許請求の範囲】
【請求項１】
デジタルコンテンツの著作権管理を行う著作権管理装置であって、
前記デジタルコンテンツの配信を行うコンテンツ配信装置を特定するための配信元特定情報と、前記コンテンツ配信装置から配信された前記デジタルコンテンツの配信先を特定するための配信先特定情報とを含む管理情報が付加された前記デジタルコンテンツ（以下、管理コンテンツという）を持つ移動体端末から転送される前記管理コンテンツを受信する管理コンテンツ受信手段と、
前記管理コンテンツの転送先を特定するための転送先特定情報を前記管理コンテンツの前記管理情報の１つとして、前記管理コンテンツに付加する管理情報付加手段と、
前記管理情報付加手段により前記転送先特定情報が付加された管理コンテンツを前記転送先に送信する送信手段とを備える著作権管理装置。
【請求項２】
請求項１記載の著作権管理装置であって、
前記管理コンテンツ受信手段で受信される管理コンテンツの管理情報は、当該管理コンテンツのデータ本体に埋め込まれているものであり、
前記管理情報付加手段は、前記転送先特定情報を前記データ本体に埋め込むものである著作権管理装置。
【請求項３】
請求項１又は２記載の著作権管理装置であって、
前記送信手段により前記転送先に送信される前記管理コンテンツに付加されている管理情報を記憶する記憶手段を備える著作権管理装置。
【請求項４】
請求項１〜３のいずれか記載の著作権管理装置であって、
前記配信元特定情報は、前記管理コンテンツのオリジナルの格納場所を示す格納場所情報を含むものである著作権管理装置。
【請求項５】
デジタルコンテンツの著作権管理を行う著作権管理装置であって、
前記デジタルコンテンツの配信を行うコンテンツ配信装置から配信された前記デジタルコンテンツのオリジナルの格納場所情報と、当該デジタルコンテンツの配信先を特定するための配信先特定情報とを含む管理情報が付加された前記デジタルコンテンツ（以下、管理コンテンツという）を持つ移動体端末から転送される前記管理コンテンツを受信する管理コンテンツ受信手段と、
前記格納場所情報にしたがって前記オリジナルを取得するオリジナル取得手段と、
前記管理コンテンツ受信手段で受信された管理コンテンツの前記管理情報を抽出する抽出手段と、
前記抽出された管理情報を前記オリジナルに付加すると共に、前記管理コンテンツの転送先を特定するための転送先特定情報を前記管理情報の１つとして前記オリジナルに付加する管理情報付加手段と、
前記管理情報付加手段により前記管理情報が付加された前記オリジナルを前記転送先に送信する送信手段とを備える著作権管理装置。
【請求項６】
請求項５記載の著作権管理装置であって、
前記管理コンテンツ受信手段で受信される管理コンテンツの管理情報は、当該管理コンテンツのデータ本体に埋め込まれているものであり、
前記管理情報付加手段は、前記管理情報を前記オリジナルのデータ本体に埋め込むものである著作権管理装置。
【請求項７】
請求項５又は６記載の著作権管理装置であって、
前記送信手段により前記転送先に送信される前記オリジナルに付加されている管理情報を記憶する記憶手段を備える著作権管理装置。
【請求項８】
請求項４〜７のいずれか記載の著作権管理装置であって、
前記管理コンテンツ受信手段で受信された管理コンテンツから前記格納場所情報を抽出する抽出手段と、
前記転送先が前記管理コンテンツの転送可能な宛先であるか否かを判定する転送可否判定手段とを備え、
前記送信手段は、前記転送先が前記管理コンテンツの転送可能な宛先でなかった場合に、前記抽出された格納場所情報を前記転送先に送信するものである著作権管理装置。
【請求項９】
請求項８記載の著作権管理装置であって、
前記管理コンテンツのサンプルデータを取得するサンプルデータ取得手段を備え、
前記送信手段は、前記転送先が前記管理コンテンツの転送可能な宛先でなかった場合に、前記格納場所情報と共に前記サンプルデータを前記転送先に送信するものである著作権管理装置。
【請求項１０】
デジタルコンテンツの著作権管理を行う著作権管理方法であって、
前記デジタルコンテンツの配信を行うコンテンツ配信装置を特定するための配信元特定情報と、前記コンテンツ配信装置から配信された前記デジタルコンテンツの配信先を特定するための配信先特定情報とを含む管理情報が付加された前記デジタルコンテンツ（以下、管理コンテンツという）を持つ移動体端末から転送される前記管理コンテンツを受信する受信ステップと、
前記管理コンテンツの転送先を特定するための転送先特定情報を前記管理コンテンツの前記管理情報の１つとして、前記管理コンテンツに付加する管理情報付加ステップと、
前記転送先特定情報が付加された管理コンテンツを前記転送先に送信する送信ステップとを備える著作権管理方法。
【請求項１１】
請求項１０記載の著作権管理方法であって、
前記受信ステップで受信した管理コンテンツの管理情報は、当該管理コンテンツのデータ本体に埋め込まれているものであり、
前記管理情報付加ステップは、前記転送先特定情報を前記データ本体に埋め込むものである著作権管理方法。
【請求項１２】
請求項１０又は１１記載の著作権管理方法であって、
前記転送先に送信される前記管理コンテンツに付加されている管理情報を記憶する記憶ステップを備える著作権管理方法。
【請求項１３】
請求項１０〜１２のいずれか記載の著作権管理方法であって、
前記配信元特定情報は、前記管理コンテンツのオリジナルの格納場所を示す格納場所情報を含むものである著作権管理方法。
【請求項１４】
デジタルコンテンツの著作権管理を行う著作権管理方法であって、
前記デジタルコンテンツの配信を行うコンテンツ配信装置から配信された前記デジタルコンテンツのオリジナルの格納場所情報と、当該デジタルコンテンツの配信先を特定するための配信先特定情報とを含む管理情報が付加された前記デジタルコンテンツ（以下、管理コンテンツという）を持つ移動体端末から転送される前記管理コンテンツを受信する受信ステップと、
前記格納場所情報にしたがって前記オリジナルを取得するオリジナル取得ステップと、
前記受信ステップで受信した管理コンテンツの前記管理情報を抽出する抽出ステップと、
前記抽出した管理情報を前記オリジナルに付加するとともに、前記管理コンテンツの転送先を特定するための転送先特定情報を前記管理情報の１つとして前記オリジナルに付加する管理情報付加ステップと、
前記管理情報を付加した前記オリジナルを前記転送先に送信する送信ステップとを備える著作権管理方法。
【請求項１５】
請求項１４記載の著作権管理方法であって、
前記受信ステップで受信した管理コンテンツの管理情報は、当該管理コンテンツのデータ本体に埋め込まれているものであり、
前記管理情報付加ステップは、前記管理情報を前記オリジナルのデータ本体に埋め込むものである著作権管理方法。
【請求項１６】
請求項１４又は１５記載の著作権管理方法であって、
前記送信ステップで前記転送先に送信する前記オリジナルに付加されている管理情報を記憶する記憶ステップを備える著作権管理方法。
【請求項１７】
請求項１３〜１６のいずれか記載の著作権管理方法であって、
前記受信ステップで受信した管理コンテンツから前記格納場所情報を抽出する抽出ステップと、
前記転送先が前記管理コンテンツの転送可能な宛先であるか否かを判定する判定ステップとを備え、
前記送信ステップは、前記転送先が前記管理コンテンツの転送可能な宛先でなかった場合に、前記抽出された格納場所情報を前記転送先に送信するものである著作権管理方法。
【請求項１８】
請求項１７記載の著作権管理方法であって、
前記管理コンテンツのサンプルデータを取得するサンプルデータ取得ステップを備え、
前記送信ステップは、前記転送先が前記管理コンテンツの転送可能な宛先でなかった場合に、前記格納場所情報と共に前記サンプルデータを前記転送先に送信するものである著作権管理方法。
【請求項１９】
コンピュータを、請求項１〜９のいずれか記載の著作権管理装置として機能させるための著作権管理プログラム。
【発明の詳細な説明】
【技術分野】
【０００１】
本発明は、デジタルコンテンツの著作権管理を行う著作権管理装置、著作権管理方法、及び著作権管理プログラムに関する。
【背景技術】
【０００２】
音声データや画像データ等を含むデジタルコンテンツは、配布が容易で劣化も無く、特に移動体端末への配信により、場所や時間を選ばずに楽しめるというメリットがある。一方で、このようなデジタルコンテンツは、複製物の大量配信が容易である為、優れた著作権管理（ＤＲＭ：Digital Rights Management）が必須となる。
【０００３】
移動体端末へのデジタルコンテンツ配信におけるＤＲＭとしてオープンモバイルアライアンス（ＯＭＡ）が推奨する方式が知られている。この方式では、デジタルコンテンツの受信者のみに閲覧を許可する方式と、デジタルコンテンツの受信者から他者への転送を可能とし、その転送を有料とする方式とがある。
前者は、デジタルコンテンツのヘッダ等に使用制限情報（閲覧回数や閲覧時間を制限する情報）を記入したタグを付加して配信する方式であり、移動体端末が、そのデジタルコンテンツのタグから使用制限情報を読み出すことで、使用制限情報に基づいてデジタルコンテンツを閲覧可能とするものである。
後者は、デジタルコンテンツを暗号化し、暗号化情報を記入したタグをデジタルコンテンツのヘッダに付加して配信する方式である。暗号化されたデジタルコンテンツを受信した移動体端末では、そのデジタルコンテンツを復号化するための鍵をデジタルコンテンツの配信者から購入し、その鍵を用いてデジタルコンテンツを復号化することで、デジタルコンテンツの閲覧が可能となる。又、暗号化されたデジタルコンテンツが他の移動体端末に転送された場合は、転送先の移動体端末が上記鍵をデジタルコンテンツの配信者から購入し、その鍵を用いてデジタルコンテンツを復号化することで、デジタルコンテンツの閲覧が可能となる。
【０００４】
上記以外にも、デジタルコンテンツに、そのデジタルコンテンツの著作権者情報やそのデジタルコンテンツの配信先の情報等を埋め込んで配信する方式が知られている（特許文献１参照）。
【０００５】
【特許文献１】特開２０００−５００４７号公報
【発明の開示】
【発明が解決しようとする課題】
【０００６】
ＯＭＡが推奨するＤＲＭ方式では、上記タグ仕様に対応した専用ブラウザの使用が前提となる。しかしながら、ほとんどの移動体端末が上記タグ使用に対応していないのが現状である。又、デジタルコンテンツの配信者としては、デジタルコンテンツを配信し、それを転送してもらうことによって利益を得られることが望ましいが、ＯＭＡが推奨するＤＲＭ方式では、転送可能なデジタルコンテンツには暗号化をしなければならず、負担が大きい。特許文献１記載の方式によれば、移動体端末に特別な機能を持たせなくても、デジタルコンテンツの不正利用や不正コピーの防止といった著作権管理が可能である。しかしながら、デジタルコンテンツの転送に対して課金を行うような場合、そのデジタルコンテンツの転送経路を特定する手段がないため、柔軟な課金体系をとることができない。又、転送回数を制限するといったことについては考慮されていない。
【０００７】
本発明は、上記事情に鑑みてなされたものであり、著作権管理が必要で且つ転送が可能なデジタルコンテンツに対し、柔軟な著作権管理を行うことが可能な著作権管理装置、著作権管理方法、及び著作権管理プログラムを提供することを目的とする。
【課題を解決するための手段】
【０００８】
本発明の著作権管理装置は、デジタルコンテンツの著作権管理を行う著作権管理装置であって、前記デジタルコンテンツの配信を行うコンテンツ配信装置を特定するための配信元特定情報と、前記コンテンツ配信装置から配信された前記デジタルコンテンツの配信先を特定するための配信先特定情報とを含む管理情報が付加された前記デジタルコンテンツ（以下、管理コンテンツという）を持つ移動体端末から転送される前記管理コンテンツを受信する管理コンテンツ受信手段と、前記管理コンテンツの転送先を特定するための転送先特定情報を前記管理コンテンツの前記管理情報の１つとして、前記管理コンテンツに付加する管理情報付加手段と、前記管理情報付加手段により前記転送先特定情報が付加された管理コンテンツを前記転送先に送信する送信手段とを備える。
【０００９】
この構成により、管理情報が付加されている管理コンテンツは、他の場所に転送される度に、その管理情報に転送先特定情報が追加されて転送先に送信される。このため、管理コンテンツ受信手段で受信される管理コンテンツに付加されている管理情報を参照することで、その管理コンテンツが配信された宛先、転送経路、及び転送回数等を知ることができ、様々な形態の著作権管理を実現することができる。
【００１０】
又、本発明の著作権管理装置は、前記管理コンテンツ受信手段で受信される管理コンテンツの管理情報が、当該管理コンテンツのデータ本体に埋め込まれているものであり、前記管理情報付加手段が、前記転送先特定情報を前記データ本体に埋め込むものである。
【００１１】
又、本発明の著作権管理装置は、前記送信手段により前記転送先に送信される前記管理コンテンツに付加されている管理情報を記憶する記憶手段を備える。
【００１２】
又、本発明の著作権管理装置は、前記配信元特定情報が、前記管理コンテンツのオリジナルの格納場所を示す格納場所情報を含むものである。
【００１３】
本発明の著作権管理装置は、デジタルコンテンツの著作権管理を行う著作権管理装置であって、前記デジタルコンテンツの配信を行うコンテンツ配信装置から配信された前記デジタルコンテンツのオリジナルの格納場所情報と、当該デジタルコンテンツの配信先を特定するための配信先特定情報とを含む管理情報が付加された前記デジタルコンテンツ（以下、管理コンテンツという）を持つ移動体端末から転送される前記管理コンテンツを受信する管理コンテンツ受信手段と、前記格納場所情報にしたがって前記オリジナルを取得するオリジナル取得手段と、前記管理コンテンツ受信手段で受信された管理コンテンツの前記管理情報を抽出する抽出手段と、前記抽出された管理情報を前記オリジナルに付加すると共に、前記管理コンテンツの転送先を特定するための転送先特定情報を前記管理情報の１つとして前記オリジナルに付加する管理情報付加手段と、前記管理情報付加手段により前記管理情報が付加された前記オリジナルを前記転送先に送信する送信手段とを備える。
【００１４】
この構成により、管理情報が付加されている管理コンテンツは、他の場所に転送される度に、その管理情報に転送先特定情報が追加されて転送先に送信される。このため、管理コンテンツ受信手段で受信される管理コンテンツに含まれる管理情報を参照することで、その管理コンテンツが配信された宛先、転送経路、及び転送回数等を知ることができ、様々な形態の著作権管理を実現することができる。転送される管理コンテンツは常にオリジナルのものとなるため、転送先のユーザに劣化のない良好なコンテンツを送信することができる。
【００１５】
又、本発明の著作権管理装置は、前記管理コンテンツ受信手段で受信される管理コンテンツの管理情報が、当該管理コンテンツのデータ本体に埋め込まれているものであり、前記管理情報付加手段が、前記管理情報を前記オリジナルのデータ本体に埋め込むものである。
【００１６】
又、本発明の著作権管理装置は、前記送信手段により前記転送先に送信される前記オリジナルに付加されている管理情報を記憶する記憶手段を備える。
【００１７】
又、本発明の著作権管理装置は、前記管理コンテンツ受信手段で受信された管理コンテンツから前記格納場所情報を抽出する抽出手段と、前記転送先が前記管理コンテンツの転送可能な宛先であるか否かを判定する転送可否判定手段とを備え、前記送信手段が、前記転送先が前記管理コンテンツの転送可能な宛先でなかった場合に、前記抽出された格納場所情報を前記転送先に送信するものである。
【００１８】
この構成により、転送先が管理コンテンツの転送可能な宛先でない場合には、その転送先に、管理コンテンツのオリジナルの格納場所情報（例えばＵＲＬ等）が送信される。この格納場所情報により、転送先のユーザがその管理コンテンツのオリジナルを得ることも可能となる。このため、コンテンツ配信側は、転送が可能でないユーザに対して、コンテンツの販売促進を行うことが可能となる。
【００１９】
又、本発明の著作権管理装置は、前記管理コンテンツのサンプルデータを取得するサンプルデータ取得手段を備え、前記送信手段が、前記転送先が前記管理コンテンツの転送可能な宛先でなかった場合に、前記格納場所情報と共に前記サンプルデータを前記転送先に送信するものである。
【００２０】
この構成により、格納場所情報と共にサンプルデータも転送先に送信され、転送先では、サンプルデータにより、転送されてくるはずだったコンテンツがどのようなものかを把握することができる。このため、コンテンツ配信側は、転送先に対してより効果的なコンテンツ販売促進を行うことが可能となる。
【００２１】
本発明の著作権管理プログラムは、コンピュータを、前記著作権管理装置として機能させるためのプログラムである。
【発明の効果】
【００２２】
本発明によれば、著作権管理が必要で且つ転送が可能なデジタルコンテンツに対し、柔軟な著作権管理を行うことが可能な著作権管理装置、著作権管理方法、及び著作権管理プログラムを提供することができる。
【発明を実施するための最良の形態】
【００２３】
（第一実施形態）
図１は、本発明の第一実施形態を説明するためのデジタルコンテンツ配信システムの概略構成を示す図である。
デジタルコンテンツ配信システム１００は、複数の携帯電話機１，２，３，４と、携帯電話機１，２の通信エリアである移動体通信網５と、携帯電話機３，４の通信エリアである移動体通信網６と、インターネット７と、移動体通信網５とインターネット７とを接続するゲートウェイ（ＧＷ）サーバ８と、移動体通信網６とインターネット７とを接続するＧＷサーバ９と、インターネット７に接続される電子メールサーバ１０と、インターネット７に接続されるコンテンツ配信装置１１とを備える。移動体通信網５と移動体通信網６とは、異なるキャリアによって管理される。図１では移動体通信網を２つしか示していないが、実際にはそれ以上存在する。本実施形態においてデジタルコンテンツとは、画像データや音声データ等のデータ本体とヘッダとを含めたものと定義する。
【００２４】
携帯電話機１，２，３，４には、ＯＭＡによって推奨されるＤＲＭ方式を実現するためのタグ（以下、ＯＭＡタグという）仕様に対応したブラウザを搭載するもの（このような携帯電話機を以下ではＯＭＡ対応端末という）と、ＯＭＡタグ仕様に対応したブラウザを搭載していないもの（このような携帯電話機を以下ではＯＭＡ非対応端末という）とが混在している。
【００２５】
電子メールサーバ１０は、携帯電話機１，２，３，４から送信される電子メールを受信し、指定された宛先に送信する制御を行う。
【００２６】
コンテンツ配信装置１１は、インターネット７を介してデジタルコンテンツを配信するＷＥＢサーバであり、コンテンツ配信業者によって管理される。コンテンツ配信装置１１が配信するデジタルコンテンツには、httpのヘッダ又はデジタルコンテンツのヘッダにＯＭＡタグ（転送不可なもの）が付加されたものと、ＯＭＡタグが付加されていないものとの２種類が存在する。ＯＭＡタグが付加されていないものには、著作権管理が必要か否かを示す情報と転送が可能か否かを示す情報とがhttpのヘッダ又はデジタルコンテンツのヘッダに付加されている。コンテンツ配信装置１１で管理されるデジタルコンテンツには、全てＵＲＬ（Uniform Resource Locator）が割り当てられている。
【００２７】
ＧＷサーバ８は、通信部８１と、制御部８２と、データベース（ＤＢ）８３と、課金処理部８４と、ＲＯＭ８５とを備える。ＧＷサーバ９は、ＧＷサーバ８と同様の構成であるため、説明を省略する。ＧＷサーバ８，９は、それぞれに接続される移動体通信網５，６の管理者によって運営されるものである。
【００２８】
通信部８１は、移動体通信網５を介して携帯電話機１，２と通信したり、インターネット７を介して電子メールサーバ１０，コンテンツ配信装置１１と通信したりする。
【００２９】
制御部８２は、ＲＯＭ８５に記憶されている著作権管理プログラムによって動作するプロセッサを主体に構成され、ＧＷサーバ８全体を統括制御する。
【００３０】
ＤＢ８３は、コンテンツ配信装置１１から配信されたデジタルコンテンツの配信先を特定するための配信先特定情報、そのデジタルコンテンツの配信元を特定するための配信元特定情報、及びそのデジタルコンテンツの転送経路を示す情報等を含む管理情報を記憶する。配信先特定情報は、例えば、配信先の携帯電話機の電子メールアドレスや電話番号等のＩＤである。配信元特定情報は、デジタルコンテンツの格納場所を示す格納場所情報であるＵＲＬやコンテンツ配信装置１１のＩＤ等の情報である。この他、ＤＢ８３には、制御部８２が行う各種判定に必要な情報が登録されている。尚、ＤＢ８３は、ＧＷサーバ８からアクセス可能な外部サーバ内に設けておいても良い。
【００３１】
課金処理部８４は、ＤＢ８３に記憶される管理情報に基づいて、携帯電話機１，２，３，４へ課金を行うための課金情報を生成し、生成した課金情報をＤＢ８３に記憶する。  尚、この課金処理部８４は、ＧＷサーバ８の外部のサーバに設けてあっても良い。
【００３２】
ＲＯＭ８５は、著作権管理プログラムが予め記憶されるものである。
【００３３】
以下、著作権管理プログラムに基づくＧＷサーバ８の動作を中心に、デジタルコンテンツ配信システム１００の動作を説明する。
図２は、デジタルコンテンツ配信システム１００の動作を説明するためのシーケンスチャートである。図２では、携帯電話機１がコンテンツ配信装置１１からデジタルコンテンツを購入する際のシーケンスを示した。
【００３４】
携帯電話機１により、コンテンツ配信装置１１の提供するデジタルコンテンツａの配信要求が行われると、ＨＴＴＰリクエストが移動体通信網５を介してＧＷサーバ８に送信され、制御部８２は、このＨＴＴＰリクエストを通信部８１を介して受信する（Ｓ２０１）。制御部８２は、受信したＨＴＴＰリクエストを通信部８１及びインターネット７を介してコンテンツ配信装置１１に送信する（Ｓ２０２）。コンテンツ配信装置１１は、ＨＴＴＰリクエストに応答して、デジタルコンテンツａを含むＨＴＴＰレスポンスをＧＷサーバ８に送信する（Ｓ２０３）。ＧＷサーバ８の制御部８２は、通信部８１を介してコンテンツ配信装置１１からＨＴＴＰレスポンスを受信する（Ｓ２０４）。
【００３５】
制御部８２は、受信したＨＴＴＰレスポンスに含まれるデジタルコンテンツａのヘッダを見て、デジタルコンテンツａが、著作権管理が必要なものであるか否かを判定する（Ｓ２０５）。著作権管理が不要なものであった場合（Ｓ２０５：ＮＯ）、制御部８２は、通信部８１で受信したＨＴＴＰレスポンスを、通信部８１を介して携帯電話機１に送信する（Ｓ２０６）。著作権管理が必要なものであった場合（Ｓ２０５：ＹＥＳ）、制御部８２は、デジタルコンテンツａのヘッダにＯＭＡタグが付加されているか否かを判定する（Ｓ２０７）。
【００３６】
ＯＭＡタグが付加されていなかった場合（Ｓ２０７：ＮＯ）、制御部８２は、ＨＴＴＰリクエストから、そこに含まれるデジタルコンテンツａのＵＲＬ（http://www.xxx.com/a.jpg）と携帯電話機１のＩＤ（aaa）とを抽出し（Ｓ２１２）、抽出したＵＲＬとＩＤとを、電子透かし等の技術を用いてデジタルコンテンツａのデータ本体に埋め込む（Ｓ２１３）。例えば、デジタルコンテンツａのデータ本体には、「http://www.xxx.com/a.jpg,aaa」といった内容の管理情報が埋め込まれる。管理情報に含まれる「aaa」という情報は、http://www.xxx.com/a.jpgに存在するデジタルコンテンツの最初の購入者を示す情報となる。ＯＭＡタグが付加されていた場合（Ｓ２０７：ＹＥＳ）、制御部８２は、ＨＴＴＰリクエストに含まれる携帯電話機１の機種名情報と、ＤＢ８３に記憶されている携帯電話機の機種毎の情報とから、携帯電話機１がＯＭＡ対応端末であるか否かを判定する（Ｓ２０８）。
【００３７】
携帯電話機１がＯＭＡ対応端末であった場合（Ｓ２０８：ＹＥＳ）、Ｓ２０６に処理を移行する。携帯電話機１がＯＭＡ非対応端末であった場合（Ｓ２０８：ＮＯ）、制御部８２は、デジタルコンテンツａのヘッダに付加されているＯＭＡタグを抽出し、抽出したＯＭＡタグをＯＭＡ非対応端末でも解読可能なタグに変換する（Ｓ２０９）。
【００３８】
変換後、制御部８２は、ＨＴＴＰリクエストから、そこに含まれるデジタルコンテンツａのＵＲＬ（http://www.xxx.com/a.jpg）と携帯電話機１のＩＤ（aaa）とを抽出し（Ｓ２１０）、抽出したＵＲＬとＩＤと転送不可であることを示す転送不可情報とを電子透かし等の技術を用いてデジタルコンテンツａのデータ本体に埋め込む（Ｓ２１１）。例えば、デジタルコンテンツａのデータ本体には、「http://www.xxx.com/a.jpg,aaa,転送不可」といった内容の管理情報が埋め込まれる。管理情報に含まれる「aaa」という情報は、http://www.xxx.com/a.jpgに存在するデジタルコンテンツの最初の購入者を示す情報となる。
【００３９】
制御部８２は、Ｓ２１１又はＳ２１３の処理後、デジタルコンテンツａを含むＨＴＴＰレスポンスを通信部８１を介して携帯電話機１に送信する（Ｓ２１４）。携帯電話機１は、ＧＷサーバ８からＨＴＴＰレスポンスを受信することで、要求したデジタルコンテンツａを、ブラウザ上で確認することが可能となる。
【００４０】
以上のように、デジタルコンテンツ配信システム１００によれば、コンテンツ配信装置１１から携帯電話機１，２，３，４に配信されるデジタルコンテンツのうち、著作権管理が必要なデジタルコンテンツに対しては、そのデジタルコンテンツの配信元であるコンテンツ配信装置１１を特定するためのＵＲＬ（http://www.xxx.com/a.jpg）と、そのデジタルコンテンツの購入者の持つ携帯電話機２のＩＤ（aaa）とを含む管理情報がデータ本体に埋め込まれた状態で配信される。
【００４１】
図３は、デジタルコンテンツ配信システム１００の動作を説明するためのシーケンスチャートである。図３では、図１のような流れでデジタルコンテンツが流通した状態で、携帯電話機１が、自機のメモリ内にあるデジタルコンテンツを電子メールに添付して携帯電話機２に送信する際のシーケンスを示した。
【００４２】
携帯電話機１が、自機のメモリに記憶されているデジタルコンテンツを電子メールに添付して携帯電話機２に送信すると、制御部８２は、その電子メールを通信部８１を介して一旦受信する（Ｓ３０１）。制御部８２は、受信した電子メールに添付されているデジタルコンテンツのヘッダにＯＭＡタグが付加されているか否かを判定する（Ｓ３０２）。ＯＭＡタグが付加されていた場合（Ｓ３０２：ＹＥＳ）、制御部８２は、受信した電子メールを通信部８１を介して電子メールサーバ１０に送信し（Ｓ３０３）、電子メールサーバ１０により携帯電話機２に電子メールが送信される。尚、電子メールサーバ１０から携帯電話機１，２，３，４に電子メールが送信される場合には、ＧＷサーバ８、９は、プロトコル変換等の通常の処理のみを行う。
【００４３】
ＯＭＡタグが付加されていなかった場合（Ｓ３０２：ＮＯ）、制御部８２は、デジタルコンテンツのデータ本体に、そのデジタルコンテンツのＵＲＬとそのデジタルコンテンツの購入者の持つ携帯電話機のＩＤとが埋め込まれているか否かを判定する（Ｓ３０４）。  ＵＲＬとＩＤとが埋め込まれていなかった場合（Ｓ３０４：ＮＯ）、制御部８２は著作権管理が不要と判断し、Ｓ３０３に処理を移行する。ＵＲＬとＩＤが埋め込まれていた場合（Ｓ３０４：ＹＥＳ）、制御部８２は、そのデジタルコンテンツ（ここでは上記デジタルコンテンツａとする）のヘッダに転送不可情報があるか又は図２のＳ２１１でデジタルコンテンツａのデータ本体に埋め込まれた転送不可情報があるかを判定する（Ｓ３０５）。
【００４４】
デジタルコンテンツのヘッダ又はデータ本体に転送不可情報が付加されていた場合（Ｓ３０５：ＹＥＳ）、制御部８２は、デジタルコンテンツが転送不可であると判断し、Ｓ３０１で受信した電子メールの送信を拒否し、処理を終了する。デジタルコンテンツのヘッダ又はデータ本体に転送不可情報が付加されていなかった場合（Ｓ３０５：ＮＯ）、制御部８２は、デジタルコンテンツが転送可であると判断し、電子メールの宛先がデジタルコンテンツａの転送可能な端末であるか否かを判定する（Ｓ３０６）。例えば、電子メールの宛先が移動体通信網５及び６に接続されている携帯電話機ではなく、インターネット７に接続された端末であった場合は、その端末に送信されたデジタルコンテンツａがインターネット７内で繰り返し転送されたとしても、その転送の制限等をＧＷサーバ８によって行うことは難しい。そこで、制御部８２は、上記電子メールの宛先が移動体通信網５及び６に接続されている携帯電話機以外の端末であった場合、その端末を転送不可な端末として判定する。このために、ＤＢ８３には、移動体通信網５及び６を管理するキャリアと、そのドメイン名等が登録されている。制御部８２は、電子メールの宛先のアドレスのドメイン名が、ＤＢ８３に登録されているドメイン名に含まれていない場合に、上記電子メールの宛先が移動体通信網５及び６に接続されている携帯電話機以外の端末であると判定する。
【００４５】
電子メールの宛先がデジタルコンテンツａの転送可能な端末でない（例えば、インターネット７に接続される端末Ｘとする）と判定した場合（Ｓ３０６：ＮＯ）、制御部８２は、電子メールに添付されているデジタルコンテンツａのデータ本体からＵＲＬを抽出し（Ｓ３０７）、更に、デジタルコンテンツａのサンプルデータを取得する（Ｓ３０８）。
【００４６】
サンプルデータとは、デジタルコンテンツａの概要がわかる程度のデータである。例えば、デジタルコンテンツａが画像コンテンツである場合は、データを間引いたり、圧縮率を通常よりも高くしたり、ぼかし処理を加えたりすることで、サンプルデータを生成することができる。又、デジタルコンテンツａが音声コンテンツである場合は、音声の再生時間を短くしたり、音質を劣化させたりすることでサンプルデータを生成することができる。このサンプルデータは、制御部８２が生成して取得する構成の他に、外部のサーバで生成した後、制御部８２が取得する構成でも良い。
【００４７】
制御部８２は、S３０１で受信した電子メールに添付されているデジタルコンテンツを削除し、その電子メールにＳ３０７で抽出したＵＲＬを記述し、更にその電子メールに上記サンプルデータを添付し、この電子メールを通信部８１を介して電子メールサーバ１０に送信する（Ｓ３０９）。電子メールサーバ１０は、ＧＷサーバ８から受信した電子メールを端末Ｘに送信する。端末Ｘで受信される電子メールには、携帯電話機１から送信されてくるはずだったデジタルコンテンツａのＵＲＬと、デジタルコンテンツａのサンプルデータとが含まれている。このため、端末Ｘのユーザは、携帯電話機１から転送されるはずだったデジタルコンテンツａの概要を確認することができると共に、電子メールに添付されたＵＲＬにアクセスすることで、携帯電話機１から送信されるはずだったデジタルコンテンツａを購入することができる。
【００４８】
電子メールの宛先がデジタルコンテンツａの転送可能な端末であると判定した場合（Ｓ３０６：ＹＥＳ）、この端末が携帯電話機２であるとすると、制御部８２は、デジタルコンテンツａを転送することを通信部８１を介して携帯電話機２に通知して、デジタルコンテンツａの受信を許可するか否かを問い合わせ（Ｓ３１０）、携帯電話機２からの返答を通信部８１を介して受信する（Ｓ３１１）。
【００４９】
携帯電話機２がデジタルコンテンツａの転送を許可しなかった場合（Ｓ３１２：ＮＯ）、制御部８２は、携帯電話機１から送信されてきた電子メールを破棄し、処理を終了する。携帯電話機２がデジタルコンテンツａの転送を許可した場合（Ｓ３１２：ＹＥＳ）、制御部８２は、電子メールの宛先である携帯電話機２のＩＤ（bbb）を電子メールのヘッダから抽出し、そのＩＤ（bbb）を管理情報の１つとしてデジタルコンテンツａのデータ本体に電子透かし技術により埋め込む（Ｓ３１３）。このとき、デジタルコンテンツａのデータ本体には、「http://www.xxx.com/a.jpg,aaa,bbb」といった内容の管理情報が埋め込まれていることになる。
【００５０】
管理情報に含まれる「bbb」という情報は、デジタルコンテンツの転送経路を特定するための情報であるため、制御部８２は、「bbb」という情報を埋め込む際、その情報がいつ追加されたものかということが分かるような形で埋め込む必要がある。例えば、「bbb」と共に現在日時情報を併せて埋め込めば良い。
【００５１】
ＩＤ（bbb）を埋め込んだ後、制御部８２は、デジタルコンテンツａのデータ本体に埋め込まれている管理情報をＤＢ８３に記憶する（Ｓ３１４）。制御部８２は、ＩＤ（bbb）を埋め込んだ後のデジタルコンテンツａが添付された電子メールを通信部８１を介して電子メールサーバ１０に送信し（Ｓ３１５）、電子メールサーバ１０によりこの電子メールが携帯電話機２に送信される。これにより、携帯電話機２では、携帯電話機１が購入したデジタルコンテンツａと同じものを手に入れることができる。
【００５２】
「http://www.xxx.com/a.jpg,aaa,bbb」という管理情報が埋め込まれたデジタルコンテンツが、携帯電話機２から携帯電話機３（ＩＤ＝ccc）に転送されると、ＧＷサーバ９は、Ｓ３０１〜Ｓ３１５の処理を繰り返し、最終的に、「http://www.xxx.com/a.jpg,aaa,bbb,ccc」という管理情報が埋め込まれたデジタルコンテンツが、携帯電話機３で受信されることになる。このように、ＧＷサーバ８は、少なくとも「http://www.xxx.com/a.jpg,aaa」という管理情報が埋め込まれた転送可能なデジタルコンテンツが、他の転送先に転送される場合には、そのデジタルコンテンツの管理情報を更新してから、転送先にデジタルコンテンツを送信する。これにより、デジタルコンテンツの転送が繰り返されても、管理情報を参照することで、そのデジタルコンテンツの配信元と、そのデジタルコンテンツの配信経路とを特定することができる。
【００５３】
ＧＷサーバ８の課金処理部８４は、ＤＢ８３に記憶された管理情報を定期的（例えば１ヶ月毎）に参照して、デジタルコンテンツの配信及び転送に要した料金の課金を行う。  課金の方法としては、以下のような方法が考えられる。
例えば、「http://www.xxx.com/a.jpg,aaa,bbb」という管理情報が記憶されていた場合には、ＩＤ＝aaaに対応するユーザＡは、http://www.xxx.com/a.jpgにあるデジタルコンテンツを購入し、それをＩＤ＝bbbに対応するユーザＢに１回転送したという事実を知ることができる。上記デジタルコンテンツの配信料金が３０円で、１回の転送にかかる転送料金が３０円であるとすると、ユーザＡにデジタルコンテンツ配信料金３０円と、転送料金３０円とを併せた６０円を課金しても良いし、ユーザＡにはデジタルコンテンツ配信料金３０円を課金し、ユーザＢに転送料金３０円を課金するようにしても良い。尚、この課金処理は、制御部８２が管理情報を更新する度に行っても良い。
【００５４】
以上のようにデジタルコンテンツ配信システム１００によれば、コンテンツ配信装置１１から携帯電話機１に配信されたデジタルコンテンツのうち著作権管理が必要且つ転送可能なデジタルコンテンツ（ＯＭＡの推奨する方式に基づく暗号化を行っていないデジタルコンテンツ）には、そのデジタルコンテンツの配信元を特定するためのＵＲＬと、そのデジタルコンテンツの配信先を特定するための携帯電話機１のＩＤとを含む管理情報「http://www.xxx.com/a.jpg,aaa」が埋め込まれてから、携帯電話機１に配信される。このようにして配信されたデジタルコンテンツを、携帯電話機１が携帯電話機２に転送すると、このデジタルコンテンツに埋め込まれている管理情報は、ＧＷサーバ８で「http://www.xxx.com/a.jpg,aaa」から「http://www.xxx.com/a.jpg,aaa,bbb」に更新されたうえで、携帯電話機２に送信される。同様に、このデジタルコンテンツが携帯電話機２から携帯電話機３に転送されると、デジタルコンテンツに埋め込まれている管理情報は、ＧＷサーバ８で「http://www.xxx.com/a.jpg,aaa,bbb」から「http://www.xxx.com/a.jpg,aaa,bbb,ccc」に更新されたうえで、携帯電話機３に送信される。
【００５５】
このように、デジタルコンテンツの転送が繰り返される度に、その転送先を特定するＩＤが管理情報の１つとして追加されていくため、デジタルコンテンツに埋め込まれている管理情報をＧＷサーバ８で参照することにより、そのデジタルコンテンツの著作権管理を柔軟に行うことができる。つまり、上記のように様々な方法で課金処理を行うことができ、コンテンツ配信業者としては、ユーザのニーズに合わせたサービスを提供することができるようになる。
著作権管理としては、上記課金処理以外に、デジタルコンテンツの転送回数を制限するといったことも可能である。この場合、デジタルコンテンツに埋め込まれている管理情報を参照することで、そのデジタルコンテンツが何回転送されたかを知ることができるため、制御部８２が、この管理情報にしたがって転送回数制限を行えば良い。
【００５６】
又、ＯＭＡの推奨するＤＲＭ方式では、デジタルコンテンツの転送を有料にしようとすると、コンテンツ配信業者が、そのデジタルコンテンツを暗号化したうえで配信しなければならず、面倒である。ところが、本実施形態によれば、コンテンツ配信業者は、著作権管理が不要なデジタルコンテンツには、特に情報を付加せずに配信を行い、著作権管理が必要なデジタルコンテンツのうち、転送不可なものにはＯＭＡタグ又は転送不可であることを示す情報を付加して配信し、転送可なものには著作権管理が必要であることを示す情報のみを付加して配信すれば良い。このため、暗号化という作業を無くすことができ、コンテンツ配信業者側の負担を大きくすることなく、柔軟な著作権管理を実現することができる。
【００５７】
又、デジタルコンテンツ配信システム１００によれば、移動体通信網５，６以外のネットワークに接続された端末（後々に著作権管理ができなくなってしまうような宛先）に、管理情報が埋め込まれたデジタルコンテンツが転送される場合、その端末に対しては、デジタルコンテンツを送信せずに、そのデジタルコンテンツのＵＲＬと、そのデジタルコンテンツのサンプルデータとを送信する。
このようにすることで、インターネットのような開かれたネットワーク上にデジタルコンテンツが流出してしまうのを防ぐことができるとともに、デジタルコンテンツの転送が許可されていない端末のユーザに対し、デジタルコンテンツの購入を促すことができる。
したがって、デジタルコンテンツの著作権を保護しつつ、デジタルコンテンツの販売促進を図ることもできるため、コンテンツ配信業者にとっては有益なシステムとなる。尚、上記では、デジタルコンテンツの転送が許可されていない端末のユーザに対し、ＵＲＬとサンプルデータとを送信しているが、ＵＲＬを送信するだけでも、上記効果を得ることができる。
【００５８】
尚、本実施形態において、ＧＷサーバ８，９のプロトコル変換等の通常のゲートウェイサーバの持つ機能以外の機能（著作権管理機能という）は、ＧＷサーバ８，９が持っていなくても良い。携帯電話機１，２，３，４とコンテンツ配信装置１１とが通信を行う際、及び、携帯電話機１，２，３，４同士が電子メールの送受信を行う際に、著作権管理機能を持つサーバを必ず経由するようにシステムを構築しておけば、著作権管理機能を持つサーバはどこに配置されていても構わない。
【００５９】
又、本実施形態においては、管理情報をデジタルコンテンツのデータ本体に電子透かし技術により埋め込んでいるが、管理情報をデジタルコンテンツのヘッダに付加するようにしても良い。
【００６０】
又、図３のステップにおいて、Ｓ３１０〜Ｓ３１２は省略することも可能である。
【００６１】
（第二実施形態）
本実施形態のデジタルコンテンツ配信システムは、第一実施形態で説明したデジタルコンテンツ配信システム１００とほぼ同様であるが、図３に示したＧＷサーバ８のＳ３１２：ＹＥＳ以降の動作が若干異なるものである。このため、異なる部分について説明する。システム構成は図１と同様である。
図４は、本発明の第二実施形態を説明するためのデジタルコンテンツ配信システムの動作を説明するためのシーケンスチャートである。図３と同様の構成には同一符号を付して説明を省略する。
携帯電話機２がデジタルコンテンツａの転送を許可した場合（Ｓ３１２：ＹＥＳ）、制御部８２は、デジタルコンテンツａに埋め込まれている管理情報を抽出し（Ｓ４０１）、更に、電子メールの宛先である携帯電話機２のＩＤ（bbb）を電子メールのヘッダから抽出する（Ｓ４０２）。制御部８２は、Ｓ４０１で抽出した管理情報に含まれるＵＲＬにアクセスしてコンテンツ配信装置１１からデジタルコンテンツａのオリジナルをダウンロードする（Ｓ４０３）。
【００６２】
そして、制御部８２は、デジタルコンテンツａのオリジナルのデータ本体に、Ｓ４０１で抽出した管理情報を埋め込むと共に、オリジナルのデータ本体に、Ｓ４０２で抽出したＩＤ（bbb）を管理情報の１つとして埋め込む（Ｓ４０４）。このとき、デジタルコンテンツａのオリジナルのデータ本体には、「http://www.xxx.com/a.jpg,aaa,bbb」といった内容の管理情報が埋め込まれることになる。
【００６３】
管理情報に含まれる「bbb」という情報は、デジタルコンテンツの転送経路を特定するための情報であるため、制御部８２は、「bbb」という情報を埋め込む際、その情報がいつ追加されたものかということが分かるような形で埋め込む必要がある。例えば、「bbb」と共に現在日時情報を併せて埋め込めば良い。
【００６４】
管理情報をオリジナルに埋め込んだ後、制御部８２は、オリジナルに埋め込んだ管理情報をＤＢ８３に記憶する（Ｓ４０５）。制御部８２は、Ｓ３０１で受信した電子メールに添付されているデジタルコンテンツを削除して、管理情報を埋め込んだ後のオリジナルを添付し、その電子メールを通信部８１を介して電子メールサーバ１０に送信し（Ｓ４０６）、電子メールサーバ１０によりこの電子メールが携帯電話機２に送信される。
【００６５】
本実施形態によれば、第一実施形態と同様の効果が得られると共に、転送されるデジタルコンテンツは、常に、そのデジタルコンテンツのオリジナルに管理情報が埋め込まれたものとなる。デジタルコンテンツのデータ本体に管理情報を埋め込む場合、管理情報の埋め込みの度にデジタルコンテンツが劣化する恐れがあるが、本実施形態によれば、劣化のないオリジナルのデジタルコンテンツを、転送先に送信することが可能となる。
【図面の簡単な説明】
【００６６】
【図１】本発明の第一実施形態を説明するためのデジタルコンテンツ配信システムの概略構成を示す図
【図２】本発明の第一実施形態を説明するためのデジタルコンテンツ配信システムの動作を説明するためのシーケンスチャート
【図３】本発明の第一実施形態を説明するためのデジタルコンテンツ配信システムの動作を説明するためのシーケンスチャート
【図４】本発明の第二実施形態を説明するためのデジタルコンテンツ配信システムの動作を説明するためのシーケンスチャート
【符号の説明】
【００６７】
８  ＧＷサーバ
８１  通信部
８２  制御部
１１  コンテンツ配信装置
【図１】
2005182564.tif 000003
【図２】
2005182564.tif 000004
【図３】
2005182564.tif 000005
【図４】
2005182564.tif 000006